(57)【要約】【課題】幼稚園・小学校からのお手紙やパンフレットなどをうっかり期限が過ぎてしまうことを防ぎ、いつでも目の届く所に綺麗に保管することができる。【解決手段】ホルダーの表紙と背表紙に薄型磁石を取り付け、ホルダーを冷蔵庫やマグネットボード等の付着可能部材に接着し、保管することができる。保管方法は、冊子状に閉じたホルダーの中の袋状シートの差し入れ口からお手紙やパンフレット、書類等を入れます。袋状シートは透明であり、中の書類はそのまま確認できる。袋状シートは５枚から１０枚程度である。閉じた状態で付着可能部材に接着させる場合、ページが開かないようにするための止め具がついている。開いた状態で付着可能部材に接着させる場合、ページ収納ポケットにページを収納させることによってみたい部分を開いた状態で表示物として表示させることができる。ページがめくれてしまうことがない。【選択図】  図６
2005059421.tif 000002
【特許請求の範囲】
【請求項１】
所要数の袋状シートを一対の表紙で冊子状に綴じたホルダーの表紙の外側に、着脱可能な付着手段を取り付けたことを特徴とする書類保管装置。
【請求項２】
前記付着手段を前記背表紙の上部と下部に取り付けたことを特徴とする、請求項１の書類保管装置。
【請求項３】
前記表紙のページをめくることのできる側の二つの角に付着手段を取り付けたことを特徴とする。請求項１記載の書類保管装置。
【請求項４】
前記両表紙の裏面に収納用ポケットを設けたことを特徴とする請求項３記載の書類保管装置。
【請求項５】
ページばらつき防止用止め具を設けたことを特徴とする請求項１の書類保管装置。
【発明の詳細な説明】
【技術分野】
【０００１】
本発明は、書類保管装置に関し、特に目の届く所に長期に保管することができる書類保管装置に関するものである。
【背景技術】
【０００２】
従来、書類などを保管する際に、冷蔵庫、コルクボード、壁、掲示板、机などその他の物品に、紙やパンフレット、書類などを貼付するために、一般に磁石、画鋲、粘着テープなどを利用したり、また、クリアファイルやバインダーなどといったものに綴じたりして本棚や引出しなどといったところに保管していました。画鋲や粘着テープなどは、紙、パンフレット、書類などを傷つけ、場所を取り、見た目も悪く、クリアファイルやバインダーはしまい込んでしまってうっかり忘れてしまうなどの問題点があった。
【０００３】
このような問題を解決するものとして袋状シートの着脱を容易にし、それに書類を保管することができ、長時間保持することができ、重く何枚も連なった書類も保持することができ、更に書類や書類保持面をきれいに保存することができるという技術がある。
【特許文献１】特開平１１−２４０２８１号公報
【特許文献２】特開２００１−２４６８８９号公報
【特許文献３】特開２００２−３０１８８９号公報
【特許文献４】実登３０９５１０７号公報
【発明の開示】
【発明が解決しようとする課題】
【０００４】
しかし、これらのものはきれいに能率よく保管するには最適であるが、棚や引出しに収納してしまうことにより忘れてしまったり、見たい時にすぐに取り出せないという問題点があった。
【０００５】
そこで、本発明は、着脱をする手間を省くことができ、ホルダーに保持させた書類は確実に保持し、付着可能部材に固定させたままページをめくることができ、閉じたままでも開いたままでも固定した状態を保持することができる書類保管装置を提供することを目的とする。
【課題を解決するための手段】
【０００６】
かかる目的を達成するための本発明の書類保管装置は、所要数の袋状シートを一対の表紙で冊子状に綴じたホルダーの表紙の外側に、着脱可能な付着手段を取り付けることである。
【０００７】
前記付着手段を前記背表紙の上部と下部に取り付けることである。
【０００８】
前記表紙の二つの角（ページのめくることができる側）に付着手段を取り付けることである。
【０００９】
前記両表紙の裏面の角に収納用ポケットを設けたことである。
【００１０】
ページばらつき防止用止め具を設けたことである。
【発明の効果】
【００１１】
発明の効果として、ホルダーの表紙、背表紙に付着手段である薄型磁石を取り付けたことにより、ホルダーを他の部材（冷蔵庫、マグネットボード等）へ着脱させることを可能にし、書類を綴ったまま接着し、かつ書類を袋状シートにより、綺麗に保管することができる機能である。
【００１２】
前記付着手段を前記背表紙の上部と下部に取り付けたことにより、安定感を持たせ、ホルダーに書類を綴ったままでもしっかりと他の部材へ接着させることができる機能である。
【００１３】
前記表紙のページをめくることのできる側の二つの角に付着手段を取り付けたことにより、見開きのまま安定して固定させることを可能にし、接着したままページをめくったりすることができる機能である。
【００１４】
前記両表紙の裏面の四つの角に収納用ポケットを設けたことで、見開きの状態を維持させることを可能にし、書類を表示物として表示させることができ、また見開きのままでもページのばらつきをなくすことができる機能である。
【００１５】
なお、上部の収納用ポケットは袋状シートの中に空気が入るのを防いで、下部に収納した後のページのばらつきを防ぐためのもので、下部の収納用ポケットはページ自体のばらつきをなくすための物である。   
【００１６】
前記表紙を付着可能部材などの壁面に取り付けるときに、ページのばらつきを防ぐ止め具を設けたことにより、閉じたままでの保管を持続させることができる。
【発明を実施するための最良の形態】
【００１７】
以下に、本発明の書類保管部材の詳細の説明をする。
【００１８】
図２は背表紙側ではあるが本発明の書類保持装置の基本的な構造を示す図である。一対の表紙となる部分３, ６はある程度剛性がある素材で構成されており、閉じた状態であっても一番上の書類が見えるように透明なもので、厚さは1mm程度、中の袋状シート７の枚数は５枚から１０枚程度が適当で、綴じ部２で綴じ込んであります。
【００１９】
図２の付着手段５は厚さ１mm〜２mm、幅5cm×15cmが適当であり、背表紙部分６が付着可能部材に接着できる。（図５参照）。ここでいう付着可能部材とは、冷蔵庫・マグネットボードなどの磁石を接着できる部材のことである。
【００２０】
図１は、一対の表紙からなる部分３のページのめくることのできる側の二つの角にも５がついており、その角に必要なサイズは、厚さ１mm〜２mm、幅2cm〜3cmが適当である。これがあることにより、背表紙ばかりでなく表紙もしっかり固定させることができ、図１の付着手段５と図２の付着手段５によってホルダーに安定感を持たせます。
【００２１】
図１より４は止め具であり、付着可能部材などの壁面に取り付ける時に背表紙から表紙にかけて止め具４を取り付けることでページのばらつきを抑え、図１のように閉じて付着可能部材に取り付けることができる。止め具４はホック等とベルトが一体となったものである。  
【００２２】
図３は、中身を表す図である。袋状シートは５枚から１０枚程度が適当であり、中に入れた書類が見えるよう透明なシートでなければならない。また書類とは、文字・記号・
画像等の情報を担持する紙、フィルム等を意味する。
【００２３】
図４はホルダーに綴られた袋状シートの一部です。袋状シート７は書類などを書類差し入れ口８から差し入れて保管するためのもので、表も裏も透明でなければならない。書類差し入れ口８は一つだけであとは閉じられている。
【００２４】
図５は図１を上から見た図である。
【００２５】
図６の下部収納用ポケット９・上部収納用ポケット１０は、袋状シート７を収納するためのものである。下部収納用ポケット９は両表紙の裏面の下部の二つの角についており、上部収納用ポケット１０は両表紙の裏面の上部の二つの角につている。下部収納用ポケット９も上部収納用ポケット１０も役割は同じであるが、下部収納用ポケット９のみで付着可能部材に取り付けると空気が入ってしまいばらつきの原因になるため上部収納用ポケット１０により袋状シート７に空気が入ることを防ぎ、下部収納用ポケット９があることで袋状シート７を収納することができ、付着可能部材などの壁面に見開きの状態で保管することを可能にし、書類を表示物として表示させ、ページがばらつくことなくホルダーを保持させることができる。
【００２６】
この書類保管装置によれば、幼稚園・小学校からのお手紙やパンフレットなどをクリアファイルなどに保管した状態で冷蔵庫やマグネットボード、磁石のつくところならどこでも貼り付けることができます。ただ収納したまま保管するだけでなく、ページ収納ポケット９・１０にはさむことで開いた状態と閉じた状態で維持し、手で押さえることなく手紙、書類、パンフレットなどを確認できます。ファイルごとしまいこんでうっかり期限が過ぎてしまうことを防ぎ、いつでも目の届く所に綺麗に保管することができる。
【産業上の利用可能性】
【００２７】
一般家庭や事務所などで利用されるものである。
【図面の簡単な説明】
【００２８】
【図１】ホルダーを付着可能部材に接着させている図である。
【図２】背表紙に付着手段を取り付けている図である。
【図３】ホルダーを少し開いた図で、中の袋状シートがどのようになっているのかを            示した図である。
【図４】袋状シートを説明した図である。
【図５】ホルダーを付着可能部材に取り付け、上から見た図である。
【図６】ホルダーを見開きの状態で付着可能部材に取り付けた図であり、収納用ポケ            ットの活用の仕方を説明した図である。
【符号の説明】
【００２９】
１    付着可能部材（冷蔵庫、マグネットボード等）
２    綴じ部
３    表紙（厚さ１mm程度）＊下敷きのような素材
４    止め具
５    薄型磁石（厚さ１mm〜２mm）
６    背表紙  ＊下敷きのような素材
７    袋状シート
８    書類差し入れ口
９    下部収納用ポケット
１０  上部収納用ポケット                        
【図１】
2005059421.tif 000003
【図２】
2005059421.tif 000004
【図３】
2005059421.tif 000005
【図４】
2005059421.tif 000006
【図５】
2005059421.tif 000007
【図６】
2005059421.tif 000008